(57)【要約】【課題】所定のモーションに基づく情報を送信するＩＣタグ、及びそれを用いた入退出管理システムを提供する。【解決手段】ＩＣタグ２にはモーションセンサーが備えられており、ユーザー３が所定のモーションを行うことにより、ＩＣタグ２に登録された情報と共に、そのモーションに応じた情報がＩＣタグ２からリーダー５に送信される。ユーザー３は、ＩＣタグ２に所定のモーションを与え、扉４を開くための操作を行う。ＩＣタグ２からの情報を読み取ったリーダー５は、その読み取った情報を管理装置６に送信する。管理装置６は、リーダー５から受信した情報とあらかじめ登録されている情報とにより個人認証を行い、認証できればリーダー５に対応した電気錠の開閉を行って扉４を開放する。【選択図】図１
2012237102.tif 000002
【特許請求の範囲】
【請求項１】
モーションセンサーを備え、所定のモーションを行なった時に、上記所定のモーションに応じた情報を送信することを特徴とするＩＣタグ。
【請求項２】
ＩＣタグを用いて入退室の認証管理を行う入退室管理システムにおいて、
モーションセンサーを備え、所定のモーションを行なった時に、上記所定のモーションに応じた情報を送信するＩＣタグと、
上記ＩＣタグから送信される情報を受信するリーダーと、
上記リーダーから上記ＩＣタグが送信した情報を入力し、あらかじめ登録された情報に基づいて認証を行い、上記リーダーに対応した電気錠を開錠する管理装置と、
を備えたことを特徴とする入退室管理システム。
【請求項３】
上記所定のモーションは、上記ＩＣタグから送信された情報の認証を行う予め登録されたモーションであることを特徴とする請求項１または請求項２に記載のＩＣタグ。
【発明の詳細な説明】
【技術分野】
【０００１】
この発明は、ＩＣタグ、及びそれを用いた入退出管理システムに関するものである。
【背景技術】
【０００２】
入退出の個人認証のために使用されるＲＦＩＤタグが広く普及し利用されている。この種のＲＦＩＣタグは、個人の識別を行うデータが、セキュリティーシステムの質問器からＲＦＩＤタグに無線によりＩＤを確認して、個人の認証を行うので、ＲＦＩＤタグを紛失したときに、この紛失したＲＦＩＤタグを第三者が使用してもセキュリティーシステムはＩＤを認証することになる。このため、ＲＦＩＤタグを紛失したときには、管理者にＲＦＩＤタグのＩＤを直ちに無効にしてもらう必要がある。これを防ぐものとして、別途暗証番号を用いたり、生体認証を用いるものもあるが、ＩＣタグのリーダー以外の装置が必要になる。
【０００３】
これを解決するものとして、例えば特開２００１−２８３１７１号公報（特許文献１）に開示されているように、ＲＦＩＤタグを複数に分割して、複数のＲＦＩＤタグが確認をした後に質問器のＩＤ確認に応答するＲＦＩＤタグ装置とする方法がある。この方法は、複数のＲＦＩＤタグが必要で、物理的な管理が必要になる。また１つでは応答できないので不正利用の痕跡を残すことはできない問題点がある。
【０００４】
一方では、例えば特開２００４−１９０４１９号公報（特許文献２）、特開２００９−０３０３９９号公報（特許文献３）、特開２００９−０３０４００号公報（特許文献４）に開示されているように、置き忘れ携帯器による不用意な解錠操作を防止するために、携帯器に動き検出センサーを搭載し、室内外に設置された施錠操作スイッチへの操作を検出した施解錠制御装置が、携帯器のＩＤ情報に対する認証が成立し、かつ、交信した携帯器の動き検出センサーが動き検出信号を出力している場合にのみ電気錠に対する施錠信号を出力する施解錠制御システムが知られている。
【先行技術文献】
【特許文献】
【０００５】
【特許文献１】特開２００１−２８３１７１号公報
【特許文献２】特開２００４−１９０４１９号公報
【特許文献３】特開２００９−０３０３９９号公報
【特許文献４】特開２００９−０３０４００号公報
【発明の概要】
【発明が解決しようとする課題】
【０００６】
この発明は、上記従来技術の問題点に着目してなされたもので、所定のモーションに基づく情報を送信するＩＣタグ、及びそれを用いた入退出管理システムを提供するものである。
【課題を解決するための手段】
【０００７】
この発明に係るＩＣタグは、モーションセンサーを備え、所定のモーションを行なった時に、上記所定のモーションに応じた情報を送信するものである。
【発明の効果】
【０００８】
この発明に係るＩＣタグは、所定のモーションを行うことにより、該モーションに応じた情報をリーダーに送信し、管理装置がその情報をリーダーから受信して、個人認証を行なってリーダーからの情報に対応した信号を出力し、例えば扉(電気錠)の開閉などの動作を行うので、当該モーションを知らない第三者がＩＣタグを容易に不正使用することを防ぐことができると共に、ＩＣタグで操作を行えるため、リーダーに別途暗証番号を入力する装置などをつける必要がなくなる。
【図面の簡単な説明】
【０００９】
【図１】この発明の実施の形態１に係る入退出管理システムを示す構成図である。
【図２】ＩＣタグの動作フロー図である。
【図３】管理装置の動作フロー図である。
【図４】ＩＣタグのモーションと送信情報との関係を説明する図である。
【図５】ＩＣタグの使用例を示す図である。
【図６】ＩＣタグの他の使用例を示す図である。
【図７】図６の使用例によるＩＣタグの動作フロー図である。
【図８】ＩＣタグの更に他の使用例を示す図である。
【図９】図８の使用例によるＩＣタグの動作フロー図である。
【発明を実施するための形態】
【００１０】
以下、添付の図面を参照して、この発明に係るＩＣタグ、及びそれを用いた入退出管理システムについて好適な実施の形態を説明する。なお、この実施の形態により発明が限定されるものではなく、諸種の設計的変更を含むものである。
【００１１】
実施の形態１．
図１は、この発明に係るＩＣタグを用いた入退出管理システムの実施の形態１を示す構成図である。図１は、入退出管理を必要とする部屋１に、所定の情報、即ち、ＩＤが登録されたＩＣタグ２を持つユーザー３が電気錠で施錠された扉４を開放して入室する状態を示している。
【００１２】
ＩＣタグ２にはモーションセンサーが備えられており、ユーザー３が所定のモーションを行うことにより、ＩＣタグ２に登録された情報と共に、図２のフロー図に示すように、そのモーションに応じた情報がＩＣタグ２からリーダー５に送信される。ユーザー３は、ＩＣタグ２に所定のモーションを与え、扉４を開くための操作を行う。リーダー５は、扉４または扉４の付近に設置されており、ＩＣタグ２からの情報を読み取ったリーダー５は、その読み取った情報を管理装置６に送信する。
【００１３】
管理装置６は、リーダー５から受信した情報とあらかじめ登録されている情報とにより図３に示すフローに従って個人認証を行い、認証できればリーダー５に対応した電気錠の開閉を行って扉４を開放する。
【００１４】
図３は、管理装置６の認証フロー図で、まず、ステップＳ１において、リーダー５によりＩＣタグ２を検知する。その後、ステップＳ２〜ステップＳ４で、リーダー５から認証のために必要な情報が送られてくるのを待ち、ステップＳ５であらかじめ登録されている情報を受信できたときに電気錠の開閉を行って扉４を開放する。なお、ステップＳ２〜ステップＳ４は、定められた必要数を行う。
【００１５】
ステップＳ１でＩＣタグ２を検知できない場合、あるいはステップＳ２〜ステップＳ４で誤った情報を受信したときや、時間内に必要な情報を受信できなかった場合は、ステップＳ６で認証ＮＧとして操作ログの記録などを行い、扉４を開放しない。
【００１６】
実施の形態１に係るＩＣタグ、及びそれを用いた入退出管理システムは、上記のようにＩＣタグ２からユーザー３のモーションに基づくさまざまな情報を送信することができ、従って、モーションを知らない第三者がＩＣタグ２を不正使用することを容易に防ぐことができる。また、リーダー５側に別途暗証番号を入力するテンキー装置などを配置しなくても認証操作を行うことができる。
【００１７】
また、ＩＣタグ２によってモーションに応じて送信する情報を変化させれば、同じ扉４でもＩＣタグ２によって必要なモーションが異なることになり、セキュリティ性が向上する。即ち、管理装置６は、受信したリーダー５に応じてモーションが不要な扉、モーションによる情報が１つでいい扉、モーションによる情報を複数必要とする扉、のように登録することができ、セキュリティレベルを柔軟に変化させることができる。
【００１８】
更に、管理装置６の判定に必要な情報や、必要な情報を受信するための回数を各扉４に応じて変更をすれば、その扉毎に必要なモーションとすることができる。例えば、図４に示すように、第１の扉を開錠するためには第１のタグの場合は「→↑↓←」とＩＣタグ２を動かし、第２のタグの場合は「↑↓→ボタン操作」と動かすことになり、タグごとに違ったモーションを行う必要がある。
【００１９】
また、第２の扉の場合はどちらのタグもボタン操作のみでよく共通の操作を行い、第３の扉の場合はタグを検知しただけで開錠するなど、扉４やＩＣタグ２に応じた操作を行うことができ、セキュリティ性か、利便性を高めるかを、場合によって変化させることができる。
【００２０】
また、各ＩＣタグ２がそれぞれいくつかのモーション別に送信できるデータを変化させて記憶すれば、同じ扉であってもＩＣタグ２によって違うモーションを必要とすることもでき、また逆に共通にすることもできる。なお、ＩＣタグ２ではなく、管理装置６側にＩＣタグ２のＩＤ別に必要な情報を異なるように記憶することによっても同様のことが可能である。更に、扉４毎に必要な情報を変化させることで同じＩＣタグ２であっても扉毎に必要なモーションを変化させることもできる。
【００２１】
また、モーションによって情報を送信できることにより、認証以外の操作に使用することができる。例えば、図５に示すように、ＩＣタグ２を持ったユーザー３が危険エリアなどにいるとき、大きく動いたときにＩＣタグ２がある情報を送信するように設定しておけば、その情報を受信したときに、危険エリアなどでユーザー３が不用意に大きな動きをしたことになり、危険行動として検知することができる。なお、通常のエリアにおいても所定の動作を危険行動と登録すればそれを送信し、警報操作などを行うことができる。
【００２２】
また、ＩＣタグ２がモーションセンサーを備えているため、ＩＣタグ独自に動きを感知することができることにより、ＩＣタグ２の所有者の歩数を計測することができる。例えば、図６及び図７に示すように、ゲスト用のＩＣタグ２ｇが所定の歩数に対して不必要に多くの歩数があると判断したとき、当該ＩＣタグ２ｇを持つゲストの不審動作として情報を送信することが可能である。
【００２３】
また、図８及び図９に示すように、ゲスト用のＩＣタグ２ｇを持つゲストの不審動作として情報を送信したときに、同じ範囲内にゲストでない正規のＩＣタグ２を検知できれば、ゲストにユーザー３が同伴しているとみなし、不審行動ではないと判断することも可能である。
【符号の説明】
【００２４】
１  部屋                                ２  ＩＣタグ
３  ユーザー                            ４  扉
５  リーダー                            ６  管理装置
【図１】
2012237102.tif 000003
【図２】
2012237102.tif 000004
【図３】
2012237102.tif 000005
【図４】
2012237102.tif 000006
【図５】
2012237102.tif 000007
【図６】
2012237102.tif 000008
【図７】
2012237102.tif 000009
【図８】
2012237102.tif 000010
【図９】
2012237102.tif 000011